(57)【要約】  本開示の液体吐出ヘッド２は、複数の吐出孔８、複数の吐出孔８にそれぞれ接続された複数の加圧室１０、複数の加圧室１０にそれぞれ接続された複数の第１流路１２、複数の第１流路１２が接続された共通の第２流路２０、複数の加圧室１０にそれぞれ接続された複数の第３流路１６、および複数の第３流路１６が接続された共通の第４流路２４、を備える流路部材４と、複数の加圧室１０内の液体をそれぞれ加圧する複数の加圧部４８とを備える。第３流路１６の流路抵抗は、第１流路１２の流路抵抗よりも低い。流路部材４は、第４流路２４にダンパ３０が形成されている。  【選択図】  図８
2016152798.tif 000002
【特許請求の範囲】
【請求項１】
複数の吐出孔、
複数の前記吐出孔にそれぞれ接続された複数の加圧室、
複数の前記加圧室にそれぞれ接続された複数の第１流路、
複数の前記第１流路が接続された共通の第２流路、
複数の前記加圧室にそれぞれ接続された複数の第３流路、および
複数の前記第３流路が接続された共通の第４流路、を備える流路部材と、
複数の前記加圧室内の液体をそれぞれ加圧する複数の加圧部とを備え、
前記第３流路の流路抵抗は、前記第１流路の流路抵抗よりも低く、かつ
前記第４流路にダンパが形成されている、液体吐出ヘッド。
【請求項２】
前記流路部材は、プレートを複数積層して構成されており、
積層方向の断面を見たときに、前記第４流路の上方に第１ダンパが設けられ、前記第４流路の下方に第２ダンパが設けられている、請求項１に記載の液体吐出ヘッド。
【請求項３】
平面視したときに、前記第３流路が、前記第４流路の側面に接続されている、請求項２に記載の液体吐出ヘッド。
【請求項４】
前記第３流路が、前記第４流路の前記加圧部側に接続されている、請求項３に記載の液体吐出ヘッド。
【請求項５】
積層方向の断面を見たときに、前記第３流路の上面が、前記第４流路の上面と面一に形成されている、請求項４に記載の液体吐出ヘッド。
【請求項６】
前記流路部材は、前記プレートのうちの一枚である第１プレートが、前記第３流路を形成する第１孔と、前記第４流路を形成する第２孔と、前記第１孔および前記第２孔の間に位置する隔壁とを複数有しており、
前記第１孔は、前記第２孔の両側に配置されており、
前記第１プレートは、前記第２孔を介して対向する前記隔壁同士を接続する接続部を有する、請求項５に記載の液体吐出ヘッド。
【請求項７】
前記接続部の厚みが、前記第１プレートの厚みよりも薄い、請求項６に記載の液体吐出ヘッド。
【請求項８】
積層方向の断面を見たときに、前記第４流路が、第１部位と、前記第１部位よりも前記吐出孔側に位置する第２部位とを備え、前記第２部位の幅が、前記第１部位の幅よりも大きく、
第１ダンパが第１部位に面して配置され、第２ダンパが第２部位に面して配置されており、
前記第２ダンパの幅が、前記第１ダンパの幅よりも大きい、請求項２〜７のいずれか一項に記載の液体吐出ヘッド。
【請求項９】
前記流路部材は、前記第２流路に第３ダンパが形成されている、請求項２〜７のいずれか一項に記載の液体吐出ヘッド。
【請求項１０】
積層方向の断面を見たときに、前記第２流路が、第３部位と、前記第３部位よりも前記吐出孔側に位置する第４部位とを備え、前記第４部位の幅が、前記第３部位の幅よりも大きく、
第３ダンパが第４部位に面して配置されており、
前記第３ダンパの幅が、前記第３部位の幅よりも広く、前記第４部位の幅よりも小さい、請求項９に記載の液体吐出ヘッド。
【請求項１１】
平面視したときに、前記加圧部の一部が、前記第１ダンパ上に設けられている、請求項２〜１０のいずれか一項に記載の液体吐出ヘッド。
【請求項１２】
複数の吐出孔、
複数の前記吐出孔にそれぞれ接続された複数の加圧室、
複数の前記加圧室にそれぞれ接続された複数の第１流路、
複数の前記第１流路が接続された共通の第２流路、
複数の前記加圧室にそれぞれ接続された複数の第３流路、
複数の前記第３流路が接続された共通の第４流路、および
複数の前記加圧室にそれぞれ接続された複数の第５流路、を備える流路部材と、
複数の前記加圧室内の液体をそれぞれ加圧する複数の加圧部とを備え、
前記第５流路が前記第２流路に共通して接続されており、
前記第３流路の流路抵抗は、前記第１流路の流路抵抗および前記第５流路の流路抵抗よりも低く、かつ
前記流路部材は、前記第４流路にダンパが形成されている、液体吐出ヘッド。
【請求項１３】
請求項１〜１２のいずれか一項に記載の液体吐出ヘッドと、
記録媒体を前記液体吐出ヘッドに対して搬送する搬送部と、
前記液体吐出ヘッドを制御する制御部とを備えていることを特徴とする記録装置。
【発明の詳細な説明】
【技術分野】
【０００１】
本発明は、液体吐出ヘッド、および記録装置に関する。
【背景技術】
【０００２】
従来、印刷用ヘッドとして、例えば、液体を記録媒体上に吐出することによって、各種の印刷を行なう液体吐出ヘッドが知られている。液体吐出ヘッドは、複数の吐出孔、複数の吐出孔にそれぞれ接続された複数の加圧室、複数の加圧室にそれぞれ接続された複数の第１流路、複数の第１流路が接続された共通の第２流路、複数の加圧室にそれぞれ接続された複数の第３流路、および複数の第３流路が接続された共通の第４流路、を備える流路部材と、複数の加圧室内の液体をそれぞれ加圧する複数の加圧部を備えるものが知られている（例えば、特許文献１を参照）。
【先行技術文献】
【特許文献】
【０００３】
【特許文献１】特開２００９−１４３１６８号公報
【発明の概要】
【０００４】
本開示の液体吐出ヘッドは、複数の吐出孔、複数の前記吐出孔にそれぞれ接続された複数の加圧室、複数の前記加圧室にそれぞれ接続された複数の第１流路、複数の前記第１流路が接続された共通の第２流路、複数の前記加圧室にそれぞれ接続された複数の第３流路、および複数の前記第３流路が接続された共通の第４流路、を備える流路部材と、複数の前記加圧室内の液体をそれぞれ加圧する複数の加圧部とを備えている。また、前記第３流路の流路抵抗は、前記第１流路の流路抵抗よりも低い。また、前記流路部材は、前記第４流路にダンパが形成されている。
【０００５】
また、本開示の他の液体吐出ヘッドは、複数の吐出孔、複数の前記吐出孔にそれぞれ接続された複数の加圧室、複数の前記加圧室にそれぞれ接続された複数の第１流路、複数の前記第１流路が接続された共通の第２流路、複数の前記加圧室にそれぞれ接続された複数の第３流路、複数の前記第３流路が接続された共通の第４流路、および複数の前記加圧室にそれぞれ接続された複数の第５流路、を備える流路部材と、複数の前記加圧室内の液体をそれぞれ加圧する複数の加圧部とを備える。また、前記第５流路が前記第２流路に共通して接続されている。また、前記第３流路の流路抵抗は、前記第１流路の流路抵抗および前記第５流路の流路抵抗よりも低い。また、前記流路部材は、前記第４流路にダンパが形成されている。
【０００６】
本開示の記録装置は、前記液体吐出ヘッドと、記録媒体を前記液体吐出ヘッドに対して搬送する搬送部と、前記液体吐出ヘッドを制御する制御部とを備えている。
【図面の簡単な説明】
【０００７】
【図１】（ａ）は第１の実施形態に係る液体吐出ヘッドを含む記録装置を概略的に示す側面図、（ｂ）は第１の実施形態に係る液体吐出ヘッドを含む記録装置を概略的に示す平面図である。
【図２】第１の実施形態に係る液体吐出ヘッドの分解斜視図である。
【図３】（ａ）は図２の液体吐出ヘッドの斜視図、（ｂ）は図２の液体吐出ヘッドの断面図である。
【図４】（ａ）はヘッド本体の分解斜視図、（ｂ）は第２流路部材の下面から見た斜視図である。
【図５】（ａ）は第２流路部材の一部を透過して見たヘッド本体の平面図、（ｂ）は第２流路部材を透過して見たヘッド本体の平面図である。
【図６】図５の一部を拡大して示す平面図である。
【図７】（ａ）は吐出ユニットの斜視図、（ｂ）は吐出ユニットの平面図、（ｃ）は吐出ユニット上の電極を示す平面図である。
【図８】（ａ）は図７（ｂ）のＶＩＩＩａ−ＶＩＩＩａ線断面図、（ｂ）は図７（ｂ）のＶＩＩＩｂ−ＶＩＩＩｂ線断面図である。
【図９】液体吐出ユニットの内部の流体の流れを示す概念図である。
【図１０】第１流路部材を形成するプレートの一部を拡大して示す斜視図である。
【図１１】第２の実施形態に係る液体吐出ヘッドを示し、各流路の繋がりを示す概略図である。
【図１２】第２の実施形態に係る液体吐出ヘッドを示し、第２流路および第４流路を拡大して示す概略斜視図である。
【図１３】第３の実施形態に係る液体吐出ヘッドを示す概略図である。
【発明を実施するための形態】
【０００８】
＜第１の実施形態＞
図１を用いて、第１の実施形態に係る液体吐出ヘッド２を含むカラーインクジェットプリンタ１（以下、プリンタ１と称する）について説明する。
【０００９】
プリンタ１は、記録媒体Ｐを搬送ローラ７４ａから搬送ローラ７４ｂへと搬送することにより、記録媒体Ｐを液体吐出ヘッド２に対して相対的に移動させる。制御部７６は、画像や文字のデータに基づいて、液体吐出ヘッド２を制御して、記録媒体Ｐに向けて液体を吐出させ、記録媒体Ｐに液滴を着弾させて、記録媒体Ｐに印刷を行なう。
【００１０】
本実施形態では、液体吐出ヘッド２はプリンタ１に対して固定されており、プリンタ１はいわゆるラインプリンタとなっている。記録装置の他の実施形態としては、いわゆるシリアルプリンタが挙げられる。
【００１１】
プリンタ１には、記録媒体Ｐと略平行になるように平板状のフレーム７０が固定されている。フレーム７０には２０個の孔（不図示）が設けられており、２０個の液体吐出ヘッド２がそれぞれの孔に搭載されている。５つの液体吐出ヘッド２は、１つのヘッド群７２を構成しており、プリンタ１は、４つのヘッド群７２を有している。
【００１２】
液体吐出ヘッド２は、図１（ｂ）に示すように細長い長尺形状をなしている。１つのヘッド群７２内において、３つの液体吐出ヘッド２は、記録媒体Ｐの搬送方向に交差する方向に沿って並んでおり、他の２つの液体吐出ヘッド２は搬送方向に沿ってずれた位置で、３つの液体吐出ヘッド２の間にそれぞれ一つずつ並んでいる。隣り合う液体吐出ヘッド２は、各液体吐出ヘッド２で印刷可能な範囲が、記録媒体Ｐの幅方向に繋がるように、あるいは端が重複するように配置されており、記録媒体Ｐの幅方向に隙間のない印刷が可能になっている。
【００１３】
４つのヘッド群７２は、記録媒体Ｐの搬送方向に沿って配置されている。各液体吐出ヘッド２には、図示しない液体タンクからインクが供給される。１つのヘッド群７２に属する液体吐出ヘッド２には、同色のインクが供給されるようになっており、４つのヘッド群で４色のインクを印刷している。各ヘッド群７２から吐出されるインクの色は、例えば、マゼンタ（Ｍ）、イエロー（Ｙ）、シアン（Ｃ）およびブラック（Ｋ）である。
【００１４】
なお、プリンタ１に搭載される液体吐出ヘッド２の個数は、単色で、１つの液体吐出ヘッド２で印刷可能な範囲を印刷するのなら１つでもよい。ヘッド群７２に含まれる液体吐出ヘッド２の個数、あるいはヘッド群７２の個数は、印刷する対象や印刷条件により適宜変更できる。例えば、さらに多色の印刷をするためにヘッド群７２の個数を増やしてもよい。また、同色で印刷するヘッド群７２を複数配置して、搬送方向に交互に印刷することで、印刷速度、すなわち搬送速度を速くすることができる。また、同色で印刷するヘッド群７２を複数準備して、搬送方向と交差する方向にずらして配置して、記録媒体Ｐの幅方向の解像度を高くしてもよい。
【００１５】
さらに、色の付いたインクを印刷する以外に、記録媒体Ｐの表面処理をするために、コーティング剤などの液体を印刷してもよい。
【００１６】
プリンタ１は、記録媒体Ｐに印刷を行なう。記録媒体Ｐは、搬送ローラ７４ａに巻き取られた状態になっており、２つの搬送ローラ７４ｃの間を通った後、フレーム７０に搭載されている液体吐出ヘッド２の下側を通る。その後２つの搬送ローラ７４ｄの間を通り、最終的に搬送ローラ７４ｂに回収される。
【００１７】
記録媒体Ｐとしては、印刷用紙以外に、布などでもよい。また、プリンタ１を、記録媒体Ｐの代わりに搬送ベルトを搬送する形態にし、記録媒体Ｐは、ロール状のもの以外に、搬送ベルト上に置かれた、枚葉紙、裁断された布、木材、あるいはタイルなどであってもよい。さらに、液体吐出ヘッド２から導電性の粒子を含む液体を吐出するようにして、電子機器の配線パターンなどを印刷してもよい。またさらに、液体吐出ヘッド２から反応容器などに向けて所定量の液体の化学薬剤や、化学薬剤を含んだ液体を吐出させて、反応させるなどして、化学薬品を作製してもよい。
【００１８】
また、プリンタ１に、位置センサ、速度センサ、温度センサなどを取り付け、制御部７６が、各センサからの情報から分かるプリンタ１各部の状態に応じて、プリンタ１の各部を制御してもよい。特に、液体吐出ヘッド２から吐出される液体の吐出特性（吐出量や吐出速度など）が外部の影響を受けるようであれば、液体吐出ヘッド２の温度や液体タンクの液体の温度、液体タンクの液体が液体吐出ヘッド２に加えている圧力に応じて、液体吐出ヘッド２において液体を吐出させる駆動信号を変えるようにしてもよい。
【００１９】
次に、図２〜１０を用いて第１の実施形態に係る液体吐出ヘッド２について説明する。なお、図５，６では図面を分かりやすくするために、他の部材の下方にあって破線で描くべき流路などを実線で描いている。また、図５（ａ）では、第２流路部材６の一部を透過して示しており、図５（ｂ）では、第２流路部材６の全部を透過して示している。また、図９においては、従来の液体の流れを破線で示し、吐出ユニット１５の液体の流れを実線で示し、第２個別流路１４から供給された液体の流れを長破線で示している。
【００２０】
なお、図面には、第１方向Ｄ１、第２方向Ｄ２、第３方向Ｄ３、第４方向Ｄ４、第５方向Ｄ５、および第６方向Ｄ６を図示している。第１方向Ｄ１は、第１共通流路２０および第２共通流路２４の延びる方向の一方側であり、第４方向Ｄ４は、第１共通流路２０および第２共通流路２４の延びる方向の他方側である。第２方向Ｄ２は、第１統合流路２２および第２統合流路２６の延びる方向の一方側であり、第５方向Ｄ５は、第１統合流路２２および第２統合流路２６の延びる方向の他方側である。第３方向Ｄ３は、第１統合流路２２および第２統合流路２６の延びる方向に直交する方向の一方側であり、第６方向Ｄ６は、第１統合流路２２および第２統合流路２６の延びる方向に直交する方向の他方側である。
【００２１】
液体吐出ヘッド２においては、第１流路を第１個別流路１２、第２流路を第１共通流路２０、第３流路を第３個別流路１６、第４流路を第２共通流路２４、第５流路を第２個別流路１４として説明する。
【００２２】
図２，３に示すように、液体吐出ヘッド２は、ヘッド本体２ａと、筐体５０と、放熱板５２と、配線基板５４と、押圧部材５６と、弾性部材５８と、信号伝達部６０と、ドライバＩＣ６２とを備えている。なお、液体吐出ヘッド２は、ヘッド本体２ａを備えていればよく、筐体５０、放熱板５２、配線基板５４、押圧部材５６、弾性部材５８、信号伝達部６０、およびドライバＩＣ６２は必ずしも備えていなくてもよい。
【００２３】
液体吐出ヘッド２は、ヘッド本体２ａから信号伝達部６０が引き出されており、信号伝達部６０は、配線基板５４に電気的に接続されている。信号伝達部６０には、液体吐出ヘッド２の駆動を制御するドライバＩＣ６２が設けられている。ドライバＩＣ６２は、弾性部材５８を介して押圧部材５６により放熱板５２に押圧されている。なお、配線基板５４を支持する支持部材の図示は省略している。
【００２４】
放熱板５２は、金属あるいは合金により形成することができ、ドライバＩＣ６２の熱を外部に放熱するために設けられている。放熱板５２は、螺子あるいは接着剤により筐体５０に接合されている。
【００２５】
筐体５０は、ヘッド本体２ａの上面に載置されており、筐体５０と放熱板５２とにより、液体吐出ヘッド２を構成する各部材を覆っている。筐体５０は、第１開口５０ａと、第２開口５０ｂと、第３開口５０ｃと、断熱部５０ｄとを備えている。第１開口５０ａは、第３方向Ｄ３および第６方向Ｄ６に対向するようにそれぞれ設けられており、第１開口５０ａに放熱板５２が配置されることにより、第１開口５０ａは封止されている。第２開口５０ｂは、下方に向けて開口しており、第２開口５０ｂを介して配線基板５４および押圧部材５６が筐体５０の内部に配置される。第３開口５０ｃは、上方に向けて開口しており、配線基板５４に設けられたコネクタ（不図示）が収容される。
【００２６】
断熱部５０ｄは、第２方向Ｄ２から第５方向Ｄ５に延びるように設けられており、放熱板５２とヘッド本体２ａとの間に配置されている。それにより、放熱板５２に放熱された熱が、ヘッド本体２ａに伝わる可能性を低減することができる。筐体５０は、金属、合金、あるいは樹脂により形成することができる。
【００２７】
図４（ａ）に示すように、ヘッド本体２ａは、第２方向Ｄ２から第５方向Ｄ５に向けて長い平板形状をなしており、第１流路部材４と、第２流路部材６と、圧電アクチュエータ基板４０とを有している。ヘッド本体２ａは、第１流路部材４の上面に、圧電アクチュエータ基板４０および第２流路部材６が設けられている。圧電アクチュエータ基板４０は、図４（ａ）に示す破線の領域に載置される。圧電アクチュエータ基板４０は、第１流路部材４に設けられた複数の加圧室１０（図８参照）を加圧するために設けられており、複数の変位素子４８（図８参照）を有している。
【００２８】
第１流路部材４は、内部に複数の流路が形成されており、第２流路部材６から供給された液体を、下面に設けられた吐出孔８（図８参照）まで導いている。第１流路部材４は、上面が加圧室面４−１となっており、加圧室面４−１に開口２０ａ，２４ａ，２８ｃ，２８ｄが形成されている。開口２０ａは、複数設けられており、第２方向Ｄ２から第５方向Ｄ５に沿って配列されている。開口２０ａは、加圧室面４−１の第３方向Ｄ３における端部に配置されている。開口２４ａは、複数設けられており、第２方向Ｄ２から第５方向Ｄ５に沿って配列されている。開口２４ａは、加圧室面４−１の第６方向Ｄ６における端部に配置されている。開口２８ｃは、開口２０ａよりも第２方向Ｄ２における外側および第５方向Ｄ５における外側に設けられている。開口２８ｄは、開口２４ａよりも第２方向Ｄ２における外側および第５方向Ｄ５における外側に設けられている。
【００２９】
第２流路部材６は、内部に複数の流路が形成されており、液体タンクから供給された液体を第１流路部材４まで導いている。第２流路部材６は、第１流路部材４の加圧室面４−１の外周部上に設けられており、圧電アクチュエータ基板４０の載置領域の外側にて、接着剤（不図示）を介して、第１流路部材４と接合されている。
【００３０】
第２流路部材６は、図４，５に示すように、貫通孔６ａと、開口６ｂ，６ｃ，６ｄ，２２ａ，２６ａとが形成されている。貫通孔６ａは、第２方向Ｄ２から第５方向Ｄ５に延びるように形成されており、圧電アクチュエータ基板４０の載置領域よりも外側に配置されている。貫通孔６ａには、信号伝達部６０が挿通している。
【００３１】
開口６ｂは、第２流路部材６の上面に設けられており、第２流路部材の第２方向Ｄ２における端部に配置されている。開口６ｂは、液体タンクから第２流路部材６に液体を供給している。開口６ｃは、第２流路部材６の上面に設けられており、第２流路部材の第５方向Ｄ５における端部に配置されている。開口６ｃは、第２流路部材６から液体タンクに液体を回収している。開口６ｄは、第２流路部材６の下面に設けられており、開口６ｄにより形成された空間に圧電アクチュエータ基板４０が配置されている。
【００３２】
開口２２ａは、第２流路部材６の下面に設けられており、第２方向Ｄ２から第５方向Ｄ５に向けて延びるように設けられている。開口２２ａは、第２流路部材６の第３方向Ｄ３における端部に形成され、貫通孔６ａよりも第３方向Ｄ３側に設けられている。
【００３３】
開口２２ａは、開口６ｂと連通しており、開口２２ａが第１流路部材４により封止されることにより、第１統合流路２２を形成している。第１統合流路２２は、第２方向Ｄ２から第５方向Ｄ５に延びるように形成されており、第１流路部材４の開口２０ａおよび開口２８ｃに液体を供給する。
【００３４】
開口２６ａは、第２流路部材６の下面に設けられており、第２方向Ｄ２から第５方向Ｄ５に向けて延びるように設けられている。開口２６ａは、第２流路部材６の第６方向Ｄ６における端部に形成され、貫通孔６ａよりも第６方向Ｄ６側に設けられている。
【００３５】
開口２６ａは、開口６ｃと連通しており、開口２６ａが第１流路部材４により封止されることにより、第２統合流路２６を形成している。第２統合流路２６は、第２方向Ｄ２から第５方向Ｄ５に延びるように形成されており、第１流路部材４の開口２４ａおよび開口２８ｄに液体を供給する。
【００３６】
以上の構成により、液体タンクから開口６ｂに供給された液体は、第１統合流路２２に供給され、開口２２ａを介して第１共通流路２０に流れ込み第１流路部材４に液体が供給される。そして、第２共通流路２４により回収された液体は、開口２６ａを介して第２統合流路２６に流れ込み、開口６ｃを介して外部へ液体が回収される。なお、第２流路部材６は、必ずしも設けなくてもよい。
【００３７】
図５〜８に示すように、第１流路部材４は、複数のプレート４ａ〜４ｍが積層されて形成されており、積層方向に断面を見たときに、上側に設けられた加圧室面４−１と、下側に設けられた吐出孔面４−２を有している。加圧室面４−１上には、圧電アクチュエータ基板４０が裁置されており、吐出孔面４−２に開口した吐出孔８から、液体が吐出される。複数のプレート４ａ〜４ｍは、金属、合金、あるいは樹脂により形成することができる。なお、第１流路部材４は、複数のプレート４ａ〜４ｍを積層せずに、樹脂により一体形成してもよい。
【００３８】
第１流路部材４は、複数の第１共通流路２０と、複数の第２共通流路２４と、複数の端部流路２８と、複数の個別ユニット１５と、複数のダミー個別ユニット１７とが形成されている。
【００３９】
第１共通流路２０は、第１方向Ｄ１から第４方向Ｄ４に延びるように設けられており、開口２０ａと連通するように形成されている。また、第１共通流路２０は、第２方向Ｄ２から第５方向Ｄ５に複数配列されている。
【００４０】
第２共通流路２４は、第４方向Ｄ４から第１方向Ｄ１に延びるように設けられており、開口２４ａと連通するように形成されている。また、第２共通流路２４は、第２方向Ｄ２から第５方向Ｄ５に複数配列されており、隣り合う第１共通流路２０同士の間に配置されている。そのため、第１共通流路２０および第２共通流路２４は、第２方向Ｄ２から第５方向Ｄ５に向けて、交互に配置されている。
【００４１】
端部流路２８は、第１流路部材４の第２方向Ｄ２の端部、および第５方向Ｄ５の端部に形成されている。端部流路２８は、幅広部２８ａと、狭窄部２８ｂと、開口２８ｃ，２８ｄとを有している。開口２８ｃから供給された液体は、幅広部２８ａ、狭窄部２８ｂ、幅広部２８ａおよび開口２８ｄをこの順に流れることにより、端部流路２８を流れることとなる。それにより、端部流路２８に液体が存在するとともに、端部流路２８を液体が流れることとなり、端部流路２８の周囲に位置する第１流路部材４の温度が液体により均一化される。それゆえ、第１流路部材４は、第２方向Ｄ２の端部および第５方向Ｄ５の端部から放熱される可能性が低減することとなる。
【００４２】
図６，７を用いて、吐出ユニット１５について説明する。吐出ユニット１５は、吐出孔８と、加圧室１０と、第１個別流路（第１流路）１２と、第２個別流路（第５流路）１４と、第３個別流路（第３流路）１６とを有している。なお、液体吐出ヘッド２では、第１個別流路１２および第２個別流路１４から加圧室１０へ液体を供給し、第３個別流路１６が加圧室１０から液体を回収している。なお、詳細は後述するが、第３個別流路１６の流路抵抗は、第１個別流路１２および第２個別流路１４の流路抵抗よりも低くなっている。
【００４３】
吐出ユニット１５は、隣り合う第１共通流路（第２流路）２０と第２共通流路（第４流路）２４との間に設けられており、第１流路部材４の平面方向にマトリクス状に形成されている。吐出ユニット１５は、吐出ユニット列１５ａと、吐出ユニット行１５ｂとを有している。吐出ユニット列１５ａは、第１方向Ｄ１から第４方向Ｄ４に向けて配列されている。吐出ユニット行１５ｂは、第２方向Ｄ２から第５方向Ｄ５に向けて配列されている。
【００４４】
加圧室１０は、加圧室列１０ｃと、加圧室行１０ｄとを有している。また、吐出孔８は、吐出孔列９ａと、吐出孔行９ｂとを有している。吐出孔列９ａおよび加圧室列１０ｃも同様に、第１方向Ｄ１から第４方向Ｄ４に向けて配列されている。また、吐出孔行９ｂおよび加圧室行１０ｄも同様に、第２方向Ｄ２から第５方向Ｄ５に向けて配列されている。
【００４５】
第１方向Ｄ１および第４方向Ｄ４と、第２方向Ｄ２および第５方向Ｄ５とが成す角度は直角からずれている。このため、第１方向Ｄ１に沿って配置されている吐出孔列９ａに属する吐出孔８同士は、その直角からのずれの分、第２方向Ｄ２にずれて配置される。そして、吐出孔列９ａが第２方向Ｄ２に並んで配置されるので、異なる吐出孔列９ａに属する吐出孔８は、その分、第２方向Ｄ２にずれて配置される。これらが合わさって、第１流路部材４の吐出孔８は、第２方向Ｄ２に一定間隔で並んで配置されている。これにより、吐出した液体により形成される画素で所定の範囲を埋めるように印刷ができる。
【００４６】
図６において、吐出孔８を第３方向Ｄ３および第６方向Ｄ６に投影すると、仮想直線Ｒの範囲に３２個の吐出孔８が投影され、仮想直線Ｒ内で各吐出孔８は３６０ｄｐｉの間隔に並ぶ。これにより、仮想直線Ｒに直交する方向に記録媒体Ｐを搬送して印刷すれば、３６０ｄｐｉの解像度で印刷できる。
【００４７】
ダミー吐出ユニット１７は、最も第２方向Ｄ２側に位置する第１共通流路２０と、最も第２方向Ｄ２側に位置する第２共通流路２４との間に設けられている。また、ダミー吐出ユニット１７は、最も第５方向Ｄ５側に位置する第１共通流路２０と、最も第５方向Ｄ５側に位置する第２共通流路２４との間にも設けられている。ダミー吐出ユニット１７は、最も第２方向Ｄ２または第５方向Ｄ５側に位置する吐出ユニット列１５ａの吐出を安定するために設けられている。
【００４８】
加圧室１０は、図７，８に示すように、加圧室本体１０ａと部分流路１０ｂとを有している。加圧室本体１０ａは、平面視して、円形状をなしており、加圧室本体１０ａの中心から下方に向けて部分流路１０ｂが延びている。加圧室本体１０ａは、加圧室本体１０ａ上に設けられた変位素子４８から圧力を受けることにより、部分流路１０ｂ中の液体に圧力を加えるように構成されている。
【００４９】
加圧室本体１０ａは、略円板形状であり、平面形状は円形状をなしている。平面形状が円形状であることにより、変位量、および変位により生じる加圧室１０の体積変化を大きくすることができる。部分流路１０ｂは、直径が加圧室本体１０ａより小さい略円柱形状であり、平面形状は円形状である。また、部分流路１０ｂは、加圧室面４−１から見たときに、加圧室本体１０ａ内に収納されている。
【００５０】
なお、部分流路１０ｂは、吐出孔８側に向かって断面積の小さくなる円錐形状あるいは台形円錐形状であってもよい。それにより、第１共通流路２０および第２共通流路２４の幅を大きくでき、上述の圧力損失の差を小さくできる。
【００５１】
加圧室１０は、第１共通流路２０の両側に沿って配置されており、片側１列ずつ、合計２列の加圧室列１０ｃを構成している。第１共通流路２０とその両側に並んでいる加圧室１０とは、第１個別流路１２および第２個別流路１４を介して接続されている。
【００５２】
また、加圧室１０は、第２共通流路２４の両側に沿って配置されており、片側１列ずつ、合計２列の加圧室列１０ｃを構成している。第２共通流路２４とその両側に並んでいる加圧室１０とは、第３個別流路１６を介して接続されている。
【００５３】
図７を用いて、第１個別流路１２、第２個別流路１４および第３個別流路１６について説明する。
【００５４】
第１個別流路１２は、第１共通流路２０と加圧室本体１０ａとを接続している。第１個別流路１２は、第１共通流路２０の上面から上方へ向けて延びた後、第５方向Ｄ５に向けて延び、第４方向Ｄ４に向けて延びた後、再び上方へ向けて延びて加圧室本体１０ａの下面に接続されている。
【００５５】
第２個別流路１４は、第１共通流路２０と部分流路１０ｂとを接続している。第２個別流路１４は、第１共通流路２０の下面から第５方向Ｄ５へ向けて延び、第１方向Ｄ１に向けて延びた後、部分流路１０ｂの側面に接続されている。
【００５６】
第３個別流路１６は、第２共通流路２４と部分流路１０ｂとを接続している。第３個別流路１６は、第２共通流路２４の側面から第２方向Ｄ２に向けて延び、第４方向Ｄ４に向けて延びた後、部分流路１０ｂの側面に接続されている。
【００５７】
そして、第３個別流路１６の流路抵抗は、第１個別流路１２および第２個別流路１４の流路抵抗よりも小さく構成されている。第３個別流路１６の流路抵抗を、第１個別流路１２および第２個別流路１４よりも低くするには、例えば、第３個別流路１６が形成されるプレート４ｆの厚みを、第１個別流路１２が形成されるプレート４ｃの厚みおよび第２個別流路１４が形成されるプレート４ｌの厚みよりも厚くすればよい。また、平面視して、第３個別流路１６の幅を、第１個別流路１２の幅および第２個別流路１４の幅よりも広くすればよい。また、平面視して、第３個別流路１６の長さを、第１個別流路１２の長さおよび第２個別流路１４の長さよりも短くすればよい。
【００５８】
以上のような構成により、第１流路部材４では、開口２０ａを介して第１共通流路２０に供給された液体は、第１個別流路１２および第２個別流路１４を介して加圧室１０に流れ込み、一部の液体は吐出孔８から吐出される。そして、残りの液体は、加圧室１０から、第３個別流路１６を介して第２共通流路２４に流れ込み、開口２４ａを介して、第１流路部材４から第２流路部材６に排出される。
【００５９】
図８を用いて圧電アクチュエータ基板４０について説明する。第１流路部材４の上面には、変位素子４８を含む圧電アクチュエータ基板４０が接合されており、各変位素子４８が加圧室１０上に位置するように配置されている。圧電アクチュエータ基板４０は、加圧室１０によって形成された加圧室群と略同一の形状の領域を占有している。また、各加圧室１０の開口は、第１流路部材４の加圧室面４−１に圧電アクチュエータ基板４０が接合されることで閉塞される。
【００６０】
圧電アクチュエータ基板４０は、圧電体である２枚の圧電セラミック層４０ａ、４０ｂからなる積層構造を有している。これらの圧電セラミック層４０ａ、４０ｂはそれぞれ２０μｍ程度の厚さを有している。圧電セラミック層４０ａ、４０ｂのいずれの層も複数の加圧室１０を跨ぐように延在している。
【００６１】
これらの圧電セラミック層４０ａ、４０ｂは、例えば、強誘電性を有する、チタン酸ジルコン酸鉛（ＰＺＴ）系、ＮａＮｂＯ３系、ＢａＴｉＯ３系、（ＢｉＮａ）ＮｂＯ３系、ＢｉＮａＮｂ５Ｏ１５系などのセラミックス材料からなる。なお、圧電セラミック層４０ｂは、振動板として働いており、必ずしも圧電体である必要はなく、代わりに、圧電体でない他のセラミック層や金属板を用いてもよい。
【００６２】
圧電アクチュエータ基板４０には、共通電極４２と、個別電極４４と、接続電極４６とが形成されている。共通電極４２は、圧電セラミック層４０ａと圧電セラミック層４０ｂとの間の領域に面方向の略全面にわたって形成されている。そして、個別電極４４は、圧電アクチュエータ基板４０の上面における加圧室１０と対向する位置に配置されている。
【００６３】
圧電セラミック層４０ａの個別電極４４と共通電極４２とに挟まれている部分は、厚さ方向に分極されており、個別電極４４に電圧を印加すると変位する、ユニモルフ構造の変位素子４８となっている。そのため、圧電アクチュエータ基板４０は、複数の変位素子４８を有している。
【００６４】
共通電極４２は、Ａｇ−Ｐｄ系などの金属材料により形成することができ、共通電極４２の厚さは２μｍ程度とすることができる。共通電極４２は、圧電セラミック層４０ａ上に共通電極用表面電極（不図示）を有しており、共通電極用表面電極が、圧電セラミック層４０ａを貫通して形成されたビアホールを介して共通電極４２と繋がっており、接地され、グランド電位に保持されている。
【００６５】
個別電極４４は、Ａｕ系などの金属材料により形成されており、個別電極本体４４ａと、引出電極４４ｂとを有している。図７（ｃ）に示すように、個別電極本体４４ａは、平面視して、略円形状に形成されており、加圧室本体１０ａよりも小さく形成されている。引出電極４４ｂは、個別電極本体４４ａから引き出されており、引き出された引出電極４４ｂ上に接続電極４６が形成されている。
【００６６】
接続電極４６は、例えばガラスフリットを含む銀−パラジウムからなり、厚さが１５μｍ程度で凸状に形成されている。接続電極４６は、信号伝達部６０に設けられた電極と電気的に接合されている。
【００６７】
液体吐出ヘッド２は、制御部７６の制御により、ドライバＩＣ６２などを介して、個別電極４４に供給される駆動信号に従って、変位素子４８を変位させる。駆動方法としては、いわゆる引き打ち駆動を用いることができる。
【００６８】
図８を用いて、ダンパ３０について詳細に説明する。
【００６９】
第１流路部材４の第２共通流路２４にダンパ３０が形成されており、ダンパ３０を介して、第２共通流路２４と面した空間３２が配置されている。ダンパ３０は、第１ダンパ３０ａと、第２ダンパ３０ｂとを有している。空間３２は、第１空間３２ａと、第２空間３２ｂとを有している。第１空間３２ａは、第１ダンパ３０ａを介して液体が流れる第２共通流路２４の上方に設けられている。第２空間３２ｂは、第１ダンパ３０ｂを介して液体が流れる第２共通流路２４の下方に設けられている。
【００７０】
第１ダンパ３０ａは、第２共通流路２４の上方の略全域に形成されている。そのため、平面視すると、第１ダンパ３０ａは、第２共通流路２４と同形状をなしている。また、第１空間３２ａは、第１ダンパ３０ａの上方の略全域に形成されている。そのため、平面視すると、第１空間３２ａは、第２共通流路２４と同形状をなしている。
【００７１】
第２ダンパ３０ｂは、第２共通流路２４の下方の略全域に形成されている。そのため、平面視すると、第２ダンパ３０ｂは、第２共通流路２４と同形状をなしている。また、第２空間３２ｂは、第２ダンパ３０ｂの下方の略全域に形成されている。そのため、平面視すると、第２空間３２ｂは、第２共通流路２４と同形状をなしている。
【００７２】
第１ダンパ３０ａおよび第１空間３２ａは、プレート４ｄ，４ｅにハーフエッチングにより溝を形成し、溝同士が対向するように接合することにより形成することができる。この際、プレート４ｅのハーフエッチングにより残った残部が、第１ダンパ３０ａとなる。第２ダンパ３０ｂおよび第２空間３２ｂも同様に、プレート４ｋ，４ｌにハーフエッチングにより溝を形成することで作製することができる。
【００７３】
液体吐出ヘッド２は、加圧室１０が加圧されると、加圧室本体１０ａから吐出孔８まで圧力波が伝わることにより、吐出孔８から液体を吐出している。その際、加圧室本体１０ａに生じた圧力波の一部が、加圧室本体１０ａと吐出孔８との間に位置する第２個別流路１４に伝わってしまい、第１共通流路２０に圧力伝幡するおそれがある。同様に、加圧室本体１０ａに生じた圧力波の一部は、加圧室本体１０ａと吐出孔８との間に位置する第３個別流路１６に伝わってしまい、第２共通流路２４に圧力伝幡するおそれがある。
【００７４】
第１共通流路２０および第２共通流路２４に圧力伝幡が生じると、他の吐出ユニット１５に接続された第２個別流路１４および第３個別流路１６を介して、他の吐出ユニット１５の加圧室１０に圧力伝幡が生じるおそれがある。それにより、流体クロストークが生じるおそれがある。
【００７５】
これに対して、液体吐出ヘッド２は、第３個別流路１６の流路抵抗が、第２個別流路１４の流路抵抗よりも低い構成を有している。それゆえ、加圧室本体１０ａに生じた圧力波の一部は、第２個別流路１４よりも流路抵抗の低い第３個別流路１６を通じて、第２共通流路２４に圧力伝幡しやすくなっている。それにより、液体吐出ヘッド２は、第２共通流路２４に圧力伝幡しやすく、第１共通流路２０に圧力伝幡しにくい構成となっている。
【００７６】
そして、第２共通流路２４にダンパ３０が形成されていることにより、第２共通流路２４の内部で圧力を減衰させることができる。その結果、第２共通流路２４から、他の第３個別流路１６に圧力が伝幡することを抑えることができ、流体クロストークを低減することができる。
【００７７】
第３個別流路１６の流路抵抗は、例えば、第２個別流路１４の流路抵抗の１５〜３０倍とすることができる。それにより、第２個別流路１４への圧力伝幡を低減することができる。また、第３個別流路１６の流路抵抗は、例えば、第１個別流路１２の流路抵抗の１５〜３０倍とすることができる。それにより、第１個別流路１２への圧力伝幡を低減することができる。
【００７８】
また、圧力波の一部は、加圧室本体１０ａから第１個別流路１を伝わってしまい、第１共通流路２０に圧力伝幡するおそれがある。それにより、加圧室本体１０ａに所望の圧力が加圧されず、液体の吐出量が不足するおそれがある。
【００７９】
これに対して、液体吐出ヘッド２は、第３個別流路１６の流路抵抗が、第１個別流路１２および第２個別流路１４の流路抵抗よりも低い構成を有している。そのため、加圧室本体１０ａに生じた圧力波の一部が、第１個別流路１２および第２個別流路１４に圧力伝幡しにくい構成となる。その結果、加圧室本体１０ａに加えられた圧力波は、吐出孔８に向けて圧力伝幡することとなり、液体の吐出量が不足しにくくなる。
【００８０】
さらに、第１流路部材４は、第２共通流路２４の上方に第１ダンパ３０ａが設けられ、第２共通流路２４の下方に第２ダンパ３０ｂが設けられている。すなわち、第２共通流路２４を構成する上面に第１ダンパ３０ａが形成されており、第２共通流路２４を構成する下面に第２ダンパ３０ｂが形成されている。
【００８１】
それにより、第１ダンパ３０ａおよび第２ダンパ３０ｂが変形することにより、第２共通流路２４の内部の圧力の変動を吸収することができ、第２共通流路２４の内部で圧力を減衰させることができる。その結果、第２共通流路２４から第３個別流路１６に圧力が逆流することを抑えることができ、流体クロストークを低減することができる。
【００８２】
なお、ダンパ３０は、必ずしも第１ダンパ３０ａおよび第２ダンパ３０ｂを有さなくてもよい。第１ダンパ３０ａのみ有していてもよく、第２ダンパ３０ｂのみ有していてもよい。
【００８３】
また、平面視したときに、第３個別流路１６が、第２共通流路２４の第２方向Ｄ２における側面に接続されている。言い換えると、第３個別流路１６が、第２共通流路２４の第２方向Ｄ２における側面から、第２方向Ｄ２に引き出された後、第４方向Ｄ４に引き出され、部分流路１０ｂの第１方向Ｄ１における側面に接続されている。
【００８４】
それゆえ、第３個別流路１６を平面方向、言い換えるとプレート４ｆの広がる方向に引き出すことができ、第２共通流路２４の上方および下方に空間３２を設けるスペースを確保することができる。その結果、第２共通流路２４の上面に第１ダンパ３０ａを設けることができるとともに、第２共通流路２４の下面に第２ダンパ３０ｂを設けることができ、第２共通流路２４にて圧力を効率的に減衰させることができる。
【００８５】
また、第３個別流路１６が、第２共通流路２４の側面のうち加圧室本体１０ａ側に接続されている。そのため、吐出孔８から部分流路１０ｂの内部に気泡が侵入した場合においても、気泡の浮力を利用して第３個別流路１６に気泡を排出することができる。それにより、部分流路１０ｂの内部に気泡が滞留することにより、液体への圧力伝幡に影響を与えることを低減することができる。
【００８６】
なお、第２共通流路２４の側面のうち加圧室本体１０ａ側とは、第２共通流路２４の側面のうち、プレート４ａ〜４ｍの積層方向の中央よりも上方に位置する部分を意味している。
【００８７】
また、第３個別流路１６の上面と、第２共通流路２４の上面とが面一であることが好ましい。それにより、部分流路１０ｂから排出された気泡は、第３個別流路１６の上面、および第２共通流路２４の上面に沿って流れることとなり、さらに容易に外部に排出することができる。
【００８８】
また、図６に示すように、平面視して、加圧室１０は、第１共通流路２０と第２共通流路２４との間に配置されており、加圧室１０の一部が、第２共通流路２４上に配置されている。そのため、平面視したときに、加圧室１０の一部が、第１ダンパ３０a上に設けられることとなり、第１ダンパ３０a上に変位素子４８（図８参照）が配置されることになる。
【００８９】
その結果、変位素子４８の駆動に伴って発生した振動が、第２共通流路２４に伝幡しにくくすることができる。すなわち、変位素子４８の振動が、第１ダンパ３０aによって低減されることとなり、第２共通流路２４に伝幡しにくくすることができる。
【００９０】
図９を用いて吐出ユニット１５を流れる液体の流れについて詳細に説明する。なお、図９では、実際の液体の流れを実線で示し、従来の液体の流れを破線で示し、第２個別流路１４から供給された液体の流れを長破線で示している。
【００９１】
吐出ユニット１５は、第１個別流路１２および第２個別流路１４から液体が供給され、吐出されなかった液体が第３個別流路１６により回収されている。
【００９２】
第１個別流路１２から供給された液体は、加圧室本体１０ａを通って部分流路１０ｂを下方に向けて流れ、一部が吐出孔８から吐出される。吐出孔８から吐出されなかった液体は、第３個別流路１６を介して、吐出ユニット１５の外部に回収される。
【００９３】
第２個別流路１４から供給された液体は、一部が吐出孔８から吐出される。吐出孔８から吐出されなかった液体は、部分流路１０ｂ内を上方へ向けて流れ、第３個別流路１６を介して、吐出ユニット１５の外部に回収される。
【００９４】
ここで、第１個別流路１２から供給された液体は、加圧室本体１０ａ、および部分流路１０ｂを流れて吐出孔８から吐出される。第２個別流路１４が接続されていない場合、液体の流れは破線で示すように、加圧室本体１０ａの中央部から吐出孔８に向けて一様に流れることとなる。
【００９５】
このような流れが生じると、部分流路１０ｂのうち、第２個別流路１４の出口と反対側に位置する領域８０付近は液体が流れにくい構成となり、例えば、領域８０付近の液体が滞留するおそれがある。
【００９６】
これに対して、第１流路部材４は、加圧室本体１０ａに接続された第１個別流路１２と、部分流路１０ｂの下側に接続され、部分流路１０ｂの吐出孔８側に液体を供給する第２個別流路１４とを備えている。
【００９７】
そのため、加圧室本体１０ａから吐出孔８へ供給される液体の流れに対して、第２個別流路１４から部分流路１０ｂへ供給された液体の流れを衝突させることができる。それにより、加圧室本体１０ａから吐出孔８へ供給される液体の流れが、一様に流れることを抑制することができ、部分流路１０ｂ内における液体の滞留を低減することができる。
【００９８】
すなわち、加圧室本体１０ａから吐出孔８へ供給される液体の流れにより生じた液体の滞留点の位置が、加圧室本体１０ａから吐出孔８へ供給される液体の流れとの衝突により移動することになり、部分流路１０ｂ内における液体の滞留を低減することができる。
【００９９】
図１０を用いて、第３個別流路１６を形成するプレート４ｆについて説明する。プレート４ｆは、加圧室面４―１（図８参照）側の第１面４ｆ−１と、吐出孔面４−２（図８参照）側の第２面４ｆ−２とを有している。また、プレート４ｆは、第３個別流路１６を形成する第１孔４ｆ１と、第２共通流路２４を形成する第２孔４ｆ２と、第１共通流路２０を形成する第３孔４ｆ３と、第１孔４ｆ１および第２孔４ｆ２の間に位置する隔壁５ａとを複数有している。第１孔４ｆ１は、第２孔４ｆ２の両側に配置されている。
【０１００】
隔壁５ａは、第１孔４ｆ１と第２孔４ｆ２とを区切るために吐出ユニット１５ごとに設けられている。プレート４ｆは、第２共通流路２４を挟んで対向する隔壁５ａ同士を接続する接続部５ｂを有している。
【０１０１】
第１孔４ｆ１は、プレート４ｆを貫通しており、部分流路１０ｂと第３個別流路１６とを形成している。そのため、第１孔４ｆ１は、プレート４ｆにマトリクス状に形成されている。第２孔４ｆ２は、プレート４ｆを貫通しており、第２共通流路２４を形成している。第３孔４ｆ３は、プレート４ｆを貫通しており、第１共通流路２０を形成している。
【０１０２】
プレート４ｆは、第２孔４ｆ２を介して対向する隔壁５ａ同士を接続する接続部５ｂを有している。そのため、隔壁５ａの剛性を高めることができ、隔壁５ａに変形が生じにくくなる。その結果、第１孔４ｆ１の形状を安定させることができ、各吐出ユニット１５の第３個別流路１６の形状のばらつきを低減することができる。それゆえ、各吐出ユニット１５の吐出ばらつきを低減することができる。
【０１０３】
また、接続部５ｂの厚みが、プレート４ｆの厚みよりも薄くなっている。それにより、第２共通流路２４の体積が小さくなることを抑制することができる。その結果、第２共通流路２４の流路抵抗が小さくなることを抑制することができる。なお、接続部５ｂは、第１面４ｆ−１からハーフエッチングを行うことにより形成することができる。
【０１０４】
＜第２の実施形態＞
図１１，１２を用いて、第２の実施形態に係る液体吐出ヘッド１０２について説明する。液体吐出ヘッド１０２は、吐出ユニット１１５、第１共通流路１２０、第２共通流路１２４、ダンパ１３０、および空間１３２の構成が、液体吐出ヘッド２と異なっている。なお、同一の部材については同一の符号を付し、以下同様とする。また、図１１において、液体の流れを実線で示しており、図１２において、第１ダンパ１３０ａ（図１２参照）および第１空間１２２ａ（図１２参照）の図示を省略している。
【０１０５】
吐出ユニット１１５は、加圧室１１０と、吐出孔８と、第１個別流路１２と、第２個別流路１１４と、第３個別流路１６とを有している。加圧室１１０は、加圧室本体１０ａと、部分流路１１０ｂとを有している。
【０１０６】
部分流路１１０ｂは、幅広部１１０ｂ１と、幅狭部１１０ｂ２とを有している。幅狭部１１０ｂ２は、幅広部１１０ｂ１よりも吐出孔８側に設けられている。断面視して、幅狭部１１０ｂ２は、幅広部１１０ｂ１よりも幅が小さくなっている。言い換えると、幅狭部１１０ｂ２の厚み方向に直交する断面積が、幅広部１１０ｂ１の厚み方向に直交する断面積よりも小さくなっている。幅狭部１１０ｂ２の径は、幅広部１１０ｂ１の径の３５〜７５％とすることができる。
【０１０７】
第２共通流路１２４は、第１部位１２４ａと第２部位１２４ｂとを有しており、第２部位１２４ｂは、第１部位１２４ａよりも吐出孔８側に設けられている。第２部位１２４ｂは、断面視して、第１部位１２４ａよりも幅が広く形成されている。第２部位１２４ｂの幅は、第１部位１２４ａの幅の１．１〜１．５倍とすることができる。
【０１０８】
第１共通流路１２０は、第３部位１２０ａと第４部位１２０ｂとを有しており、第４部位１２０ｂは、第３部位１２０ａよりも吐出孔８側に設けられている。第４部位１２０ｂは、断面視して、第３部位１２０ａよりも幅が広く形成されている。第４部位１２０ｂの幅は、第３部位１２０ａの幅の１．１〜１．５倍とすることができる。
【０１０９】
また、第１共通流路１２０は、突出部１３４が第４部位１２０ｂに形成されている。突出部１３４は、第４部位１２０ｂから第２方向Ｄ２または第５方向Ｄ５に突出するように形成されている。突出部１３４の下方には、第２個別流路１１４が接続されている。突出部１３４の突出長さは、０．１〜０．５ｍｍとすることができる。
【０１１０】
ダンパ１３０は、第１ダンパ１３０ａと、第２ダンパ１３０ｂと、第３ダンパ１３０ｃとを有している。空間１３２は、第１空間３２ａと、第２空間１３２ｂと、第３空間１３２ｃとを有している。第１ダンパ１３０ａおよび第２ダンパ１３０ｂは、液体の流れる第２共通流路１２４に面するように設けられており、第３ダンパ１３０ｃは、液体の流れる第１共通流路１２０に面するように設けられている。
【０１１１】
図１２に示すように、第２ダンパ１３０ｂは、第２共通流路１２４の第２部位１２４ｂに面するように設けられており、断面視して、第２部位１２４ｂと略同じ面積を有している。また、図示していないが、第１ダンパ１３０ａは、第２共通流路１２４の第１部位１２４ａに面するように設けられており、断面視して、第１部位１２４ａと略同じ面積を有している。
【０１１２】
断面視して、第２ダンパ１３０ｂの幅が、第１ダンパ１３０ａの幅よりも大きくなっている。それにより、第２ダンパ１３０ｂの断面積を大きくすることができ、第２共通流路１２４に侵入した圧力波を効率よく減衰することができる。
【０１１３】
部分流路１１０ｂが、幅広部１１０ｂ１と幅狭部１１０ｂ２とを備えており、幅広部１１０ｂ１の下方に位置する空間に、第２共通流路１２４の第２部位１２４ｂと、第１共通流路１２０の第４部位１２０ｂとが配置されている。それにより、第１共通流路１２０の第４部位１２０ｂおよび第２共通流路１２４の第２部位１２４ｂの容積を大きくすることができ、第１共通流路１２０および第２共通流路１２４の流路抵抗を小さくすることができる。
【０１１４】
第１共通流路１２０に第３ダンパ１３０ｃが設けられている。それにより、第１共通流路１２０に侵入した圧力波を効率よく減衰することができる。
【０１１５】
第１共通流路１２０の第４部位１２０ｂに突出部１３４が形成されている。そして、突出部１３４の下方には第２個別流路１１４が接続されており、第２個別流路１１４は、部分流路１１０ｂの幅狭部１１０ｂ２に接続されている。そのため、第１共通流路１２０の下方に第３ダンパ１３０ｃを形成しつつ、第１共通流路１２０と吐出ユニット１１５とを接続することができる。
【０１１６】
つまり、突出部１３４が、第３ダンパ１３０ｃが設けられていない領域まで突出していることから、第３ダンパ１３０ｃを避けて突出部１３４の下面から第２個別流路１１４を引き出すことができる。その結果、第１共通流路１２０に面積の大きな第３ダンパ１３０ｃを形成するとともに、第１共通流路１２０と吐出ユニット１１５とを接続することができる。
【０１１７】
また、断面視して、第３ダンパ１３０ｃの幅が、第３部位１２０ａの幅よりも広く、第４部位１２０ｂの幅よりも小さくなっている。そのため、第１共通流路１２０の内部に伝幡された圧力波を減衰させることができるとともに、第４部位１２０ｂの下方に第２個別流路１１４を引き出すことができる。
【０１１８】
なお、断面視したときの第３部位１２０ａの幅とは、第１方向Ｄ１および第４方向Ｄ４に直交する方向に断面を切ったときの第３部位１２０ａの長さを示している。第３ダンパ１３０ｃの幅も同様である。また、断面視したときの第４部位１２０ｂの幅とは、第１方向Ｄ１および第４方向Ｄ４に直交する方向に断面を切ったときの第４部位１２０ｂの長さを示しており、突出部１３４を除く第４部位１２０ｂの幅である。
【０１１９】
なお、第３ダンパ１３０ｃは、第１共通流路１２０の上方に設けてもよく、第１共通流路１２０の上方および下方に設けてもよい。
【０１２０】
＜第３の実施形態＞
図１３を用いて第３の実施形態に係る液体吐出ヘッド２０２について説明する。
【０１２１】
液体吐出ヘッド２０２は、第１共通流路２０と、第２共通流路２４と、吐出ユニット２１５とを有している。吐出ユニット２１５は、吐出孔８と、加圧室２１０と、第１個別流路２１２と、第２個別流路２１４とを有している。
【０１２２】
第１個別流路２１２は、第１共通流路２０と加圧室２１０とを接続している。第２個別流路２１４は、第２共通流路２４と加圧室２１０とを接続している。第２個別流路２１４との流路抵抗は、第１個別流路２１２の流路抵抗よりも小さくなっている。
【０１２３】
第２共通流路２４の上方には、ダンパ２３０を介して空間２３２が設けられている。すなわち、液体の流れる第２共通流路２４の上面にダンパ２３０が設けられている。
【０１２４】
液体吐出ヘッド２０２は、第２個別流路２１４との流路抵抗が、第１個別流路２１２の流路抵抗よりも低い構成を有している。それゆえ、加圧室２１０に生じた圧力波の一部は、第１個別流路２１２よりも流路抵抗の低い第２個別流路２１４を通じて、第２共通流路２４に圧力伝幡しやすくなっている。それにより、液体吐出ヘッド２は、第２共通流路２４に圧力伝幡しやすく、第１共通流路２０に圧力伝幡しにくい構成となっている。
【０１２５】
そして、第２共通流路２４にダンパ２３０が形成されていることにより、第２共通流路２４の内部で圧力を減衰させることができる。その結果、第２共通流路２４から第２個別流路２１４に圧力が逆流することを抑えることができ、流体クロストークを低減することができる。
【０１２６】
以上、第１〜３の実施形態について説明したが、本発明は上記実施形態に限定されるものではなく、その趣旨を逸脱しない限りにおいて種々の変更が可能である。
【０１２７】
例えば、加圧部として、加圧室１０を圧電アクチュエータの圧電変形によりを加圧する例を示したが、これに限定されるものではない。例えば、加圧室１０ごとに発熱部を設け、発熱部の熱により加圧室１０の内部の液体を加熱し、液体の熱膨張により加圧する加圧部としてもよい。
【０１２８】
また、液体吐出ヘッド２では、第１個別流路１２および第２個別流路１４から液体を加圧室１０に供給し、第３個別流路１６により液体を回収する構成を示したが、これに限定されるものではない。例えば、第２個別流路１４および第３個別流路１６から液体を加圧室１０に供給し、第１個別流路１２により液体を回収する構成としてもよい。
【０１２９】
すなわち、第２個別流路１４および第３個別流路１６から液体を部分流路１０ｂに供給し、供給された液体は、部分流路１０ｂを上方に向けて流れて加圧室本体１０ａに供給し、加圧室本体１０ａに供給された液体は、第１個別流路１２により回収されるような構成であってもよい。
【符号の説明】
【０１３０】
１・・・カラーインクジェットプリンタ
２，１０２，２０２・・・液体吐出ヘッド
４・・・第１流路部材
４a〜４ｍ・・・プレート（第１プレート）
６・・・第２流路部材
８・・・吐出孔
１０，１１０，２１０・・・加圧室
１０ａ・・・加圧室本体
１０ｂ、１１０ｂ・・・部分流路
１２，２１２・・・第１個別流路（第１流路）
１４，１１４，２１４・・・第２個別流路（第５流路）
１５，１１５，２１５・・・吐出ユニット
１６，１１６・・・第３個別流路（第３流路）
２０，１２０，２２０・・・第１共通流路（第２流路）
２２・・・第１統合流路
２４，１２４，２２４・・・第２共通流路（第４流路）
２６・・・第２統合流路
３０，１３０，２３０・・・ダンパ
３０ａ，１３０ａ，・・・第１ダンパ
３０ｂ，１３０ｂ，・・・第２ダンパ
１３０ｃ・・・第３ダンパ
３２，１３２，２３２・・・空間
３２ａ，１３２ａ，・・・第１空間
３２ｂ，１３２ｂ，・・・第２空間
４０・・・圧電アクチュエータ基板
４８・・・変位素子（加圧部）
５０・・・筐体
７４ａ，７４ｂ，７４ｃ，７４ｄ・・・搬送ローラ
７６・・・制御部
Ｐ・・・記録媒体
Ｄ１・・・第１方向
Ｄ２・・・第２方向
Ｄ３・・・第３方向
Ｄ４・・・第４方向
Ｄ５・・・第５方向
Ｄ６・・・第６方向
【図１】
2016152798.tif 000003
【図２】
2016152798.tif 000004
【図３】
2016152798.tif 000005
【図４】
2016152798.tif 000006
【図５】
2016152798.tif 000007
【図６】
2016152798.tif 000008
【図７】
2016152798.tif 000009
【図８】
2016152798.tif 000010
【図９】
2016152798.tif 000011
【図１０】
2016152798.tif 000012
【図１１】
2016152798.tif 000013
【図１２】
2016152798.tif 000014
【図１３】
2016152798.tif 000015
【手続補正書】
【提出日】平成29年4月27日(2017.4.27)
【手続補正１】
【補正対象書類名】特許請求の範囲
【補正対象項目名】全文
【補正方法】変更
【補正の内容】
【特許請求の範囲】
【請求項１】
複数の吐出孔、
複数の前記吐出孔にそれぞれ接続された複数の加圧室、
複数の前記加圧室にそれぞれ接続された複数の第１流路、
複数の前記第１流路が接続された共通の第２流路、
複数の前記加圧室にそれぞれ接続された複数の第３流路、および
複数の前記第３流路が接続された共通の第４流路、を備える流路部材と、
複数の前記加圧室内の液体をそれぞれ加圧する複数の加圧部とを備え、
前記第３流路の流路抵抗は、前記第１流路の流路抵抗よりも低く、かつ
前記第４流路にダンパが形成されており、前記ダンパを介して、前記第４流路と面した空間が配置されている、液体吐出ヘッド。
【請求項２】
複数の吐出孔、
複数の前記吐出孔にそれぞれ接続された複数の加圧室、
複数の前記加圧室にそれぞれ接続された複数の第１流路、
複数の前記第１流路が接続された共通の第２流路、
複数の前記加圧室にそれぞれ接続された複数の第３流路、および
複数の前記第３流路が接続された共通の第４流路、を備え、プレートを複数積層して構成された流路部材と、
複数の前記加圧室内の液体をそれぞれ加圧する複数の加圧部とを備え、
前記第３流路の流路抵抗は、前記第１流路の流路抵抗よりも低く、かつ
前記第４流路にダンパが形成されており、
積層方向の断面を見たときに、前記第４流路の上方に第１ダンパが設けられ、前記第４流路の下方に第２ダンパが設けられている、請求項１に記載の液体吐出ヘッド。
【請求項３】
平面視したときに、前記第３流路が、前記第４流路の側面に接続されている、請求項２に記載の液体吐出ヘッド。
【請求項４】
前記第３流路が、前記第４流路の前記加圧部側に接続されている、請求項３に記載の液体吐出ヘッド。
【請求項５】
積層方向の断面を見たときに、前記第３流路の上面が、前記第４流路の上面と面一に形成されている、請求項４に記載の液体吐出ヘッド。
【請求項６】
前記流路部材は、前記プレートのうちの一枚である第１プレートが、前記第３流路を形成する第１孔と、前記第４流路を形成する第２孔と、前記第１孔および前記第２孔の間に位置する隔壁とを複数有しており、
前記第１孔は、前記第２孔の両側に配置されており、
前記第１プレートは、前記第２孔を介して対向する前記隔壁同士を接続する接続部を有する、請求項５に記載の液体吐出ヘッド。
【請求項７】
前記接続部の厚みが、前記第１プレートの厚みよりも薄い、請求項６に記載の液体吐出ヘッド。
【請求項８】
積層方向の断面を見たときに、前記第４流路が、第１部位と、前記第１部位よりも前記吐出孔側に位置する第２部位とを備え、前記第２部位の幅が、前記第１部位の幅よりも大きく、
第１ダンパが第１部位に面して配置され、第２ダンパが第２部位に面して配置されており、
前記第２ダンパの幅が、前記第１ダンパの幅よりも大きい、請求項２〜７のいずれか一項に記載の液体吐出ヘッド。
【請求項９】
前記流路部材は、前記第２流路に第３ダンパが形成されている、請求項２〜７のいずれか一項に記載の液体吐出ヘッド。
【請求項１０】
積層方向の断面を見たときに、前記第２流路が、第３部位と、前記第３部位よりも前記吐出孔側に位置する第４部位とを備え、前記第４部位の幅が、前記第３部位の幅よりも大きく、
第３ダンパが第４部位に面して配置されており、
前記第３ダンパの幅が、前記第３部位の幅よりも広く、前記第４部位の幅よりも小さい、請求項９に記載の液体吐出ヘッド。
【請求項１１】
平面視したときに、前記加圧部の一部が、前記第１ダンパ上に設けられている、請求項２〜１０のいずれか一項に記載の液体吐出ヘッド。
【請求項１２】
複数の吐出孔、
複数の前記吐出孔にそれぞれ接続された複数の加圧室、
複数の前記加圧室にそれぞれ接続された複数の第１流路、
複数の前記第１流路が接続された共通の第２流路、
複数の前記加圧室にそれぞれ接続された複数の第３流路、
複数の前記第３流路が接続された共通の第４流路、および
複数の前記加圧室にそれぞれ接続された複数の第５流路、を備える流路部材と、
複数の前記加圧室内の液体をそれぞれ加圧する複数の加圧部とを備え、
前記第５流路が前記第２流路に共通して接続されており、
前記第３流路の流路抵抗は、前記第１流路の流路抵抗および前記第５流路の流路抵抗よりも低く、かつ
前記流路部材は、前記第４流路にダンパが形成されている、液体吐出ヘッド。
【請求項１３】
請求項１〜１２のいずれか一項に記載の液体吐出ヘッドと、
記録媒体を前記液体吐出ヘッドに対して搬送する搬送部と、
前記液体吐出ヘッドを制御する制御部とを備えていることを特徴とする記録装置。
【国際調査報告】
2016152798.tif 000016
2016152798.tif 000017
2016152798.tif 000018
2016152798.tif 000019